(57)【要約】【課題】特性表示画面を複数回連続して更新する場合であっても、更新された特性表示画面を目視確認できる特性測定表示装置を実現すること。【解決手段】測定対象の特性測定結果を波形で更新表示するように構成された特性測定表示装置において、前記測定対象の特性測定条件に基づき、前記波形の更新表示周期を算出して表示画面更新待機時間として付与する手段を設けたことを特徴とするもの。  【選択図】                    図１
2010096578.tif 000002
【特許請求の範囲】
【請求項１】
測定対象の特性測定結果を波形で更新表示するように構成された特性測定表示装置において、
前記測定対象の特性測定条件に基づき、前記波形の更新表示周期を算出して表示画面更新待機時間として付与する手段を設けたことを特徴とする特性測定表示装置。
【請求項２】
前記波形は、平面型表示パネルの電圧電流特性曲線であることを特徴とする請求項１記載の特性測定表示装置。
【請求項３】
測定対象の電圧電流特性を測定する測定部と、
この測定部の測定条件を格納する測定条件部と、
前記測定部から出力される測定データを格納する測定データメモリと、
この測定データメモリに一定量蓄積される毎に測定データが転送されるバッファメモリと、
このバッファメモリに転送された測定データを読み出して測定領域に対応した電圧電流特性曲線表示画面を生成するとともに、前記測定条件部に格納された測定条件に基づき表示間隔を算出して表示画面更新待機時間として付与する表示更新部と、
この表示更新部で生成された電圧電流特性曲線表示画面を表示する表示部、
とで構成されたことを特徴とする特性測定表示装置。
【発明の詳細な説明】
【技術分野】
【０００１】
本発明は、特性測定表示装置に関し、詳しくは、測定対象の特性測定結果を波形で表示するように構成された装置の改善に関するものである。
【背景技術】
【０００２】
図６は平面型表示パネルの一例を示す概念構成図であり、水平方向に複数ｍ個、垂直方向に複数ｎ個の表示画素がマトリックス状に設けられていて、これら各画素は図示しない駆動素子により選択的に駆動するように構成されている。
【０００３】
このような平面型表示パネルの特性試験の一項目として、各画素を選択的に駆動する駆動素子に一定の電圧を印加したときに流れる負荷電流の大きさを、画素の配列に対応した電圧電流特性曲線として目視できるように表示することが行われている。
【０００４】
この電圧電流特性の測定は、特性測定目的に応じて、順次所定の方向に走査することによってｍ列×ｎ行の全表示領域の特性を表示させたり、たとえば図６に示すように測定領域を指定することが行われる。
【０００５】
図７は従来の特性測定表示装置の一例を示すブロック図である。特性測定表示装置１０は測定対象２０である平面型表示パネル（ＦＰＤ）と接続されている。
【０００６】
特性測定表示装置１０において、測定部１１は、測定対象２０の設定された測定領域の図示しない駆動素子に対して所定の測定電圧を印加し、そのとき駆動素子に流れる負荷電流の値を測定して測定データメモリ１２に格納する。測定データメモリ１２に一定量の測定データが蓄積されると測定データはバッファメモリ１３に転送されるとともに、その旨が表示更新部１４に通知される。
【０００７】
表示更新部１４は、測定データがバッファメモリ１３に転送されたことの通知を確認すると、バッファメモリ１３に転送された測定データを読み出して測定領域の画素配列に対応した電圧電流特性曲線表示画面の更新データを作成し、表示部１５に出力する。表示部１５は、更新データに従って電圧電流特性曲線の表示画面を更新する。これら特性測定表示装置１０を構成する各部の一連の動作は、内部バスを介して各部と接続されている演算制御部１６により統括的に制御される。
【０００８】
特許文献１には、電子放出素子を用いた表示装置の特性調整方法が記載されている。
【０００９】
【特許文献１】特開２００４−１８５８２８号公報
【００１０】
ところで、測定部１１の設定によっては、測定データメモリ１２に複数回分の表示画面更新に相当する量の測定データが連続的に蓄積されることがある。
【発明の開示】
【発明が解決しようとする課題】
【００１１】
しかし、このような状態で測定データが測定データメモリ１２からバッファメモリ１３に転送されたという通知を表示更新部１４が受け取ると、表示更新部１４は電圧電流特性曲線の表示画面を複数回連続して更新することになり、連続した途中の表示内容の見逃しや見落としが生じてしまう。
【００１２】
本発明は、このような問題点に鑑みてなされたものであり、その目的は、特性表示画面を複数回連続して更新する場合であっても、更新された特性表示画面を目視確認できる特性測定表示装置を実現することにある。
【課題を解決するための手段】
【００１３】
このような問題を解決するため、請求項１記載の発明は、
測定対象の特性測定結果を波形で更新表示するように構成された特性測定表示装置において、
前記測定対象の特性測定条件に基づき、前記波形の更新表示周期を算出して表示画面更新待機時間として付与する手段を設けたことを特徴とする。
【００１４】
請求項２記載の発明は、請求項１記載の特性測定表示装置において、
前記波形は、平面型表示パネルの電圧電流特性曲線であることを特徴とする。
【００１５】
請求項３記載の発明は、
測定対象の電圧電流特性を測定する測定部と、
この測定部の測定条件を格納する測定条件部と、
前記測定部から出力される測定データを格納する測定データメモリと、
この測定データメモリに一定量蓄積される毎に測定データが転送されるバッファメモリと、
このバッファメモリに転送された測定データを読み出して測定領域に対応した電圧電流特性曲線表示画面を生成するとともに、前記測定条件部に格納された測定条件に基づき表示間隔を算出して表示画面更新待機時間として付与する表示更新部と、
この表示更新部で生成された電圧電流特性曲線表示画面を表示する表示部、
とで構成されたことを特徴とする特性測定表示装置である。
【発明の効果】
【００１６】
これらにより、特性表示画面を複数回連続して更新する場合であっても、更新された特性表示画面を目視確認できる。
【発明を実施するための最良の形態】
【００１７】
以下、本発明について図面を参照して説明する。図１は本発明の一実施例を示すブロック図であり、図７と共通する部分には同一の符号を付けている。図１と図７の相違点は、図１の内部バスには測定条件設定部１７とこの測定条件設定部１７により設定される測定条件を保持する測定条件部１８が接続されていることである。
【００１８】
測定条件部１８には、測定部１１が測定対象２０の電圧電流特性を測定するための印加電圧、パルス長、測定方式などの測定条件設定部１７により設定される測定条件が保持されている。
【００１９】
表示更新部１４は、バッファメモリ１３に転送された測定データを読み出して測定領域の画素配列に対応した電圧電流特性曲線表示画面を生成するのにあたり、測定条件部１８に保持されているこれら測定条件を参照する。そして、高速測定が行われている場合は、それらの電圧電流特性曲線の表示内容が目視確認できるように、測定条件に応じた表示間隔を算出して表示画面更新待機時間として付与することにより一定の画面表示時間を確保する。
【００２０】
図２は、表示更新部１４の具体的な構成例を示すブロック図である。表示間隔算出部１４ａは測定条件部１８に保持されている測定条件に基づき、現在行われている特性測定の１表示画面あたりの測定時間を算出して表示間隔とし、算出結果を表示間隔比較部１４ｂの一方の入力端子に入力する。表示間隔比較部１４ｂの他方の入力端子には、最低表示間隔格納部１４ｃに格納されている特性測定表示装置のシステム構成の動作仕様などの固有のパラメータに基づいて一義的に決まる最低表示間隔データが入力されている。
【００２１】
表示間隔比較部１４ｂは、これら表示間隔算出部１４ａの算出結果と最低表示間隔格納部１４ｃに格納されている最低表示間隔を比較し、比較結果を表示間隔設定部１４ｄに出力する。表示間隔設定部１４ｄは、表示間隔算出部１４ａの算出結果が最低表示間隔よりも大きい場合には算出結果を表示間隔として表示画像生成部１４ｅに出力し、表示間隔算出部１４ａの算出結果が最低表示間隔よりも小さい場合には表示画像生成部１４ｅには何も出力しない。
【００２２】
測定部１１は表示画像生成部１４ｅに、測定データメモリ１２からバッファメモリ１３に測定データが転送されたことを通知する。表示画像生成部１４ｅは、バッファメモリ１３から測定データを取得するとともに、取得した測定データから測定部１１が次の測定を行っていないかを調べる。測定部１１が既に次の測定を行っている場合には画像の表示更新が追い越されていることになるので取得した測定データを破棄し、改めてバッファメモリ１３から最新の測定データを取得する。
【００２３】
表示画像生成部１４ｅは、画面更新用の表示画像を生成して表示部１５に出力するのにあたり、表示間隔算出部１４ａの算出結果が最低表示間隔よりも大きい場合は、表示間隔設定部１４ｄから入力される表示間隔分だけ正確に待機する。なお、表示間隔算出部１４ａの算出結果が最低表示間隔よりも小さい場合は、従来の図７と同様に動作する。
【００２４】
これにより、表示間隔算出部１４ａの算出結果が最低表示間隔よりも大きい場合には、表示部１５は更新前の画面を表示間隔設定部１４ｄで設定された表示間隔分だけ表示することになり、特性表示画面を複数回連続して更新する場合であっても、更新された特性表示画面を目視確認できる。
【００２５】
ここで、表示間隔算出部１４ａの算出結果が最低表示間隔よりも大きい場合における表示間隔は測定条件に基づいて決定されるので、更新の遅れや更新間隔のばらつきが発生することはなく更新間隔の安定した表示画面が得られ、実際の測定時間に近い間隔で表示画面が更新されることから、作業者は測定対象の測定状況をほぼリアルタイムで的確に把握できる。
【００２６】
なお、表示画像生成部１４ｅは、画面更新用の表示画像を生成するとバッファメモリ１３から次の更新用の測定データを取得するが、測定データが無ければ測定部１１から通知があるまで待機し、その間、表示部１５の表示画面も更新されることなく保持される。
【００２７】
図３は、図１および図２の動作の流れを説明するフローチャートである。なお、以下の説明では図６に示すように複数の測定領域Ａ〜Ｃが指定されているものとする。
【００２８】
初期状態において、表示更新部１４は測定データが測定データメモリ１２からバッファメモリ１３に転送されたとの測定部１１からの通知を待っていて（ＳＰ１）、通知を受け取るとバッファメモリ１３から測定データを取得する（ＳＰ２）。
【００２９】
表示更新部１４は、現在表示部１５に表示されている電圧電流特性曲線がたとえば測定領域Ａの途中までの場合に、測定部１１が次の測定領域（たとえばＢ）の測定を行いバッファメモリ１３への書き込みにあたって測定領域Ａを表示更新するための読み出しを追い越す追い越し発生の有無を取得した測定データから調べる（ＳＰ３）。
【００３０】
図４は追い越し発生の有無の説明図であり、バッファメモリ１３の読み出しポインタＲと書き込みポインタＷが時間とともに変化する状態を示している。（Ａ）では測定領域Ａの測定データの読み出しポインタＲと測定領域Ｂの測定データの書き込みポインタＷとの間には長さＬａの空間が残っているが、ある時間経過後の（Ｂ）では読み出しポインタＲと書き込みポインタＷとの間の空間は長さＬｂに縮まっている。
【００３１】
しかし、これら（Ａ）および（Ｂ）では追い越しは発生していない。ところがさらに時間が経過した（Ｃ）では読み出しポインタＲと書き込みポインタＷが等しくなって両者間の空間はなくなっている。すなわち、（Ｃ）以降は追い越しが発生したと判断できる。
【００３２】
追い越されている場合には改めてバッファメモリ１３から次の測定領域Ｂの最新の測定データを取得して特性表示画面更新用のデータとし（ＳＰ４）、追い越されていない場合にはステップＳＰ２で取得した測定領域Ａの測定データを特性表示画面更新用のデータとして、現在表示中の電圧電流特性曲線に連続する更新表示画面を生成する（ＳＰ５）。
【００３３】
表示更新部１４は、生成した表示画面を表示部１５に送り画面を更新するが、その前に測定条件部１７から測定条件を取得して現在行われている特性測定の１表示画面あたりの測定時間を算出して表示間隔とする（ＳＰ６）。
【００３４】
そして、算出した表示間隔があらかじめ設定されているシステム固有の最低表示間隔よりも大きいか否かを判断する（ＳＰ７）。算出した表示間隔が最低表示間隔よりも大きい場合には算出した表示間隔を画面更新待機時間として設定し（ＳＰ８）、算出した表示間隔が最低表示間隔よりも小さい場合には算出した表示間隔を画面更新待機時間として設定することなくステップＳＰ９にジャンプする。
【００３５】
次に、表示更新部１４は、更新表示すべき測定データの有無を判断し（ＳＰ９）、更新表示すべき測定データがある場合にはそれらの測定データがなくなるまでステップＳＰ２以降のステップを繰り返して実行し、更新表示すべき測定データがなくなったら所定の測定が終わったか否かを判断する（ＳＰ１０）。
【００３６】
測定が終わっていなければステップＳＰ１に戻って測定部１１からの通知を待ち、所定の測定が終わっていれば一連の測定を終了する。
【００３７】
なお、特性測定表示装置のシステムの構成によっては、図３の追い越し発生の有無を取得した測定データから調べるステップＳＰ３および算出した表示間隔があらかじめ設定されているシステム固有の最低表示間隔よりも大きいか否かを判断するステップＳＰ７の少なくともいずれかを省略してもよい。
【００３８】
図５は、図１および図２の動作を説明するタイミングチャートである。測定部１１は、一定の測定周期で測定対象２０の電圧電流特性の測定を行い、測定データメモリ１２に測定データを取り込む。測定データメモリ１２に一定量Ｃの測定データを蓄積すると、バッファメモリ１３に測定データを転送する。
【００３９】
表示更新部１４は、測定条件に基づいて算出された表示間隔のタイミングでバッファメモリ１３からたとえば測定領域Ａの測定データを列方向１行分ずつ取り込み、列方向１行分ずつ更新表示画面を生成する。ここで、更新表示画面を生成するタイミングがシステム固有の最低表示間隔よりも大きい場合には、この更新表示画面生成タイミングで表示部１５に更新表示画面を出力する。
【００４０】
これにより、高速測定が行われている場合であっても、測定条件に応じた表示間隔を付与することにより表示部１５に一定の画面表示時間を確保でき、それらの電圧電流特性曲線の表示内容を目視確認できる。
【００４１】
なお、上記実施例では、測定対象の特性測定結果を表示する波形が平面型表示パネルの電圧電流特性曲線である場合を説明したが、これに限るものではなく、大量・高速の測定データを扱う各種の特性測定表示装置についても測定データをほぼリアルタイムで波形として可視化できるという効果が得られる。
【００４２】
以上説明したように、本発明によれば、特性表示画面を複数回連続して更新する場合であっても、更新された特性表示画面を目視確認できる特性測定表示装置を実現できる。
【図面の簡単な説明】
【００４３】
【図１】本発明の一実施例を示すブロック図である。
【図２】表示更新部１４の具体的な構成例を示すブロック図である。
【図３】図１および図２の動作の流れを説明するフローチャートである。
【図４】追い越し発生の有無の説明図である。
【図５】図１および図２の動作を説明するタイミングチャートである。
【図６】平面型表示パネルの一例を示す概念構成図である。
【図７】従来の特性測定表示装置の一例を示すブロック図である。
【符号の説明】
【００４４】
１０  特性測定表示装置
１１  測定部
１２  測定データメモリ
１３  バッファメモリ
１４  表示更新部
１４ａ  表示間隔算出部
１４ｂ  表示間隔比較部
１４ｃ  最低表示間隔格納部
１４ｄ  表示間隔設定部
１４ｅ  表示画像生成部
１５  表示部
１６  演算制御部
１７  測定条件設定部
１８  測定条件部
２０  測定対象
【図１】
2010096578.tif 000003
【図２】
2010096578.tif 000004
【図３】
2010096578.tif 000005
【図４】
2010096578.tif 000006
【図５】
2010096578.tif 000007
【図６】
2010096578.tif 000008
【図７】
2010096578.tif 000009